(57)【要約】【課題】複数の基地局が連携して一移動局と通信することで移動局個々の通信品質の向上を図ると共に、セルラ移動通信システム全体の無線リソースの利用効率の低下を防ぐ。【解決手段】基地局コントローラは、移動局の無線リソース必要性を表す評価値を移動局毎に算出し（Ｓ２）、該評価値に基づいて、無線リソースを割り当てる移動局を選択し（Ｓ４，Ｓ５）、該選択された移動局の通信方法であるシングルサイト接続又はマルチサイト接続のいずれかに応じた無線リソースを、該移動局と通信を行う基地局で確保する（Ｓ８，Ｓ１１）。【選択図】図３
2010233087.tif 000002
【特許請求の範囲】
【請求項１】
複数の基地局を配置し、各基地局の通信エリアによって連続的な通信サービスエリアを構築するセルラ移動通信システムにおいて、複数の基地局を制御する基地局制御装置であって、
移動局の無線リソース必要性を表す評価値を移動局毎に算出する評価値算出手段と、
前記評価値に基づいて、無線リソースを割り当てるグループを選択するグループ選択手段と、
該選択されたグループに含まれる移動局の中から無線リソースを割り当てる移動局を選択する移動局選択手段と、
該選択された移動局の通信方法であるシングルサイト接続又はマルチサイト接続のいずれかに応じた無線リソースを、該移動局と通信を行う基地局で確保する無線リソース割当手段と、
を備えたことを特徴とする基地局制御装置。
【請求項２】
前記評価値は、移動局の平均スループット値がスループット要求値を満たしているかを表すものであり、
前記移動局選択手段は、平均スループット値がスループット要求値を満たしていない移動局を優先することを特徴とする請求項１に記載の基地局制御装置。
【請求項３】
前記移動局選択手段は、平均スループット値がスループット要求値を満たしていない移動局の中から、無線品質が最も良い移動局を選択することを特徴とする請求項２に記載の基地局制御装置。
【請求項４】
前記移動局選択手段は、全移動局の平均スループット値がスループット要求値を満たす場合には、プロポーショナル・フェアネスの評価式を用いた移動局の選択を行うことを特徴とする請求項２又は請求項３に記載の基地局制御装置。
【請求項５】
複数の基地局を配置し、各基地局の通信エリアによって連続的な通信サービスエリアを構築するセルラ移動通信システムにおいて、複数の基地局を制御する基地局制御方法であって、
移動局の無線リソース必要性を表す評価値を移動局毎に算出するステップと、
前記評価値に基づいて、無線リソースを割り当てるグループを選択するステップと、
該選択されたグループに含まれる移動局の中から無線リソースを割り当てる移動局を選択するステップと、
該選択された移動局の通信方法であるシングルサイト接続又はマルチサイト接続のいずれかに応じた無線リソースを、該移動局と通信を行う基地局で確保するステップと、
を含むことを特徴とする基地局制御方法。
【発明の詳細な説明】
【技術分野】
【０００１】
本発明は、基地局制御装置及び基地局制御方法に関する。
【背景技術】
【０００２】
近年、日本国内の携帯電話サービスにおいては、Ｗ−ＣＤＭＡ（Wideband Code Division Multiple Access）およびＣＤＭＡ２０００（Code Division Multiple Access 2000）に代表されるＩＭＴ−２０００（International Mobile Telecommunications 2000）と称される第３世代移動通信システムが普及してきている。さらに、そのＩＭＴ−２０００の高度化システムおよびＩＭＴ−２０００の次世代システムとして、ＩＭＴ−Ａｄｖａｎｃｅｄと称される第４世代移動通信システムに関する標準規格が策定されつつある。
【０００３】
ＩＭＴ−Ａｄｖａｎｃｅｄは、低速移動時に１Ｇｂｐｓの伝送速度を、高速移動時には１００Ｍｂｐｓの伝送速度をそれぞれ実現することを目標としている。このような高速通信を実現するためには、広帯域な周波数帯を使用した通信方式を利用することが必要になるが、そのような通信方式の一つとして、直交周波数分割多元接続（Orthogonal Frequency Division Multiple Access：ＯＦＤＭＡ）方式が知られている。ＯＦＤＭＡ方式は、広帯域の周波数帯をサブキャリアと称する直交した狭帯域に分割し、各サブキャリアで情報を伝送する方式である。このＯＦＤＭＡ方式によれば、無線装置で生じる周波数特性をサブキャリア毎に補正したり、又、伝送路で生じる周波数特性の時間変動に対して適応的に周波数多重伝送および周波数分割多元接続を行ったりすることができることから、広帯域通信を実現する有力な伝送方式の一つとして注目されている。
【０００４】
また、複数のアンテナを用いた伝送路マルチ化（Multiple Input Multiple Output：ＭＩＭＯ）技術は、送信側の複数のアンテナから個別に送信された信号を受信側の複数のアンテナで受信し、その受信信号から空間信号分離することで周波数利用効率の向上を図る技術として注目されている。
【０００５】
セルラ移動通信システムは、複数の基地局を配置し、各基地局の通信エリア（セル）によって連続的な通信サービスエリアを構築するものであるが、セルラ移動通信システムに対し、ＯＦＤＭＡ方式やＭＩＭＯ技術を用いた通信方式を適用する場合、使用可能な周波数領域の制限により、全周波数帯域を各セルに割当てる指針が考えられる。この場合、基地局近傍に位置する移動局については、通信基地局からの所望信号が高いレベルで受信できると共に、隣接する基地局からの無線信号が距離減衰によりレベル低下するため、高い通信品質を確保でき、広帯域通信の効果としてユーザースループットの高速化が期待できる。しかし、セル境界に位置する移動局については、所望信号のレベルが距離減衰により低下するだけでなく、隣接基地局の無線信号が通信信号と同レベルの干渉信号となり、通信品質を大きく劣化させるため、広帯域通信の効果が十分に得られないという課題がある。この課題は、移動局よりも基地局の送信電力が大きいため、特に下り回線（基地局から移動局方向の回線）で顕著になる。
【０００６】
その課題に対し、例えば特許文献１，２，３に対処方法が開示されている。この従来技術では、複数の基地局を制御する基地局コントローラを設け、基地局コントローラが、セル境界にいる移動局に対し複数の基地局が連携してＭＩＭＯ技術等を用いた通信を行うように、複数の基地局を制御する。
【先行技術文献】
【特許文献】
【０００７】
【特許文献１】特開２００７−１３４８４４号公報
【特許文献２】特開２００７−０４３３３２号公報
【特許文献３】国際公開第２００６／０１６４８５号パンフレット
【発明の概要】
【発明が解決しようとする課題】
【０００８】
しかし、上述した従来技術では、セルラ移動通信システム全体の無線リソースの効率的な利用を図ることが課題である。セル境界にいる移動局に対し複数の基地局が連携してＭＩＭＯ技術等を用いた通信を行うと、その瞬間は該複数の基地局の無線リソースを当該移動局が占有することになるので、セルラ移動通信システム全体としては無線リソースの利用効率が低下する。
【０００９】
本発明は、このような事情を考慮してなされたもので、その目的は、複数の基地局が連携して一移動局と通信することで移動局個々の通信品質の向上を図ると共に、セルラ移動通信システム全体の無線リソースの利用効率の低下を防ぐことのできる基地局制御装置及び基地局制御方法を提供することにある。
【課題を解決するための手段】
【００１０】
上記の課題を解決するために、本発明に係る基地局制御装置は、複数の基地局を配置し、各基地局の通信エリアによって連続的な通信サービスエリアを構築するセルラ移動通信システムにおいて、複数の基地局を制御する基地局制御装置であって、移動局の無線リソース必要性を表す評価値を移動局毎に算出する評価値算出手段と、前記評価値に基づいて、無線リソースを割り当てるグループを選択するグループ選択手段と、該選択されたグループに含まれる移動局の中から無線リソースを割り当てる移動局を選択する移動局選択手段と、該選択された移動局の通信方法であるシングルサイト接続又はマルチサイト接続のいずれかに応じた無線リソースを、該移動局と通信を行う基地局で確保する無線リソース割当手段と、を備えたことを特徴とする。
【００１１】
本発明に係る基地局制御装置においては、前記評価値は、移動局の平均スループット値がスループット要求値を満たしているかを表すものであり、前記移動局選択手段は、平均スループット値がスループット要求値を満たしていない移動局を優先することを特徴とする。
【００１２】
本発明に係る基地局制御装置においては、前記移動局選択手段は、平均スループット値がスループット要求値を満たしていない移動局の中から、無線品質が最も良い移動局を選択することを特徴とする。
【００１３】
本発明に係る基地局制御装置においては、前記移動局選択手段は、全移動局の平均スループット値がスループット要求値を満たす場合には、プロポーショナル・フェアネスの評価式を用いた移動局の選択を行うことを特徴とする。
【００１４】
本発明に係る基地局制御方法は、複数の基地局を配置し、各基地局の通信エリアによって連続的な通信サービスエリアを構築するセルラ移動通信システムにおいて、複数の基地局を制御する基地局制御方法であって、移動局の無線リソース必要性を表す評価値を移動局毎に算出するステップと、前記評価値に基づいて、無線リソースを割り当てるグループを選択するステップと、該選択されたグループに含まれる移動局の中から無線リソースを割り当てる移動局を選択するステップと、該選択された移動局の通信方法であるシングルサイト接続又はマルチサイト接続のいずれかに応じた無線リソースを、該移動局と通信を行う基地局で確保するステップと、を含むことを特徴とする。
【発明の効果】
【００１５】
本発明によれば、複数の基地局が連携して一移動局と通信することで移動局個々の通信品質の向上を図ると共に、セルラ移動通信システム全体の無線リソースの利用効率の低下を防ぐことができるという効果が得られる。
【図面の簡単な説明】
【００１６】
【図１】本発明の一実施形態に係るセルラ移動通信システムの概略構成図である。
【図２】同実施形態に係るセル構成の例である。
【図３】本発明の一実施形態に係る基地局制御方法のフローチャートである。
【図４】本発明の一実施形態に係る論理リソーステーブルの概念図である。
【発明を実施するための形態】
【００１７】
以下、図面を参照し、本発明の実施形態について説明する。
図１は、本発明の一実施形態に係るセルラ移動通信システムの概略構成図である。図１において、セルラ移動通信システムは、各々セルを提供する複数の基地局１、基地局１に無線接続して通信する移動局（ユーザ端末）２、及び、複数の基地局１を制御する基地局コントローラ１０を有する。図１には、２台の基地局１（基地局識別子がＡ，Ｂであるもの）並びに、基地局１（Ａ）が提供するセル３Ａ及び基地局１（Ｂ）が提供するセル３Ｂが、例示されている。
【００１８】
各基地局１は、バックボーンネットワーク４を介してコアネットワーク５に接続される。バックボーンネットワーク４及びコアネットワーク５は、それぞれルータ６を有する。基地局コントローラ１０は、バックボーンネットワーク４内に設けられ、各基地局１と有線で接続される。
【００１９】
本実施形態に係るセルラ移動通信システムにおいて、基地局１及びユーザ端末２は複数のアンテナを備え、基地局１とユーザ端末２が、１対１で通信する場合も、複数の基地局１が連携してユーザ端末２と通信する場合も、ＭＩＭＯ技術を用いた伝送（ＭＩＭＯ伝送）を行うことが可能である。ＭＩＭＯ伝送の種類（ＭＩＭＯモード）としては、最大比合成送信ダイバーシチ等の送信ダイバーシチ、時空間符号化、固有ビーム空間多重方式等の空間多重、及び、それらの組合せなどがある。
【００２０】
また、本実施形態に係るセルラ移動通信システムにおいて、基地局１とユーザ端末２間の多元接続方式にはＯＦＤＭＡ方式を用いる。本実施形態では、論理的な無線リソースと物理的な無線リソースとの対応関係（マッピングの仕方）は、全ての基地局で共通であるとする。ＯＦＤＭＡとＭＩＭＯ伝送を利用する場合、無線リソースは、時間領域と周波数領域と空間領域とから構成される。一ユーザ端末２に対し複数の基地局１が連携したＭＩＭＯ伝送を行う場合、それら基地局には同じ無線リソースを割り当てる必要がある。
【００２１】
基地局コントローラ１０は、制御対象の基地局１の情報及び該基地局１に接続するユーザ端末２の情報を各基地局１から取得する。基地局コントローラ１０は、制御対象の基地局１の全てついて、その無線リソースの割当を一括で行う。基地局コントローラ１０は、無線リソース割当結果を各基地局１へ送信する。
【００２２】
図２は、本実施形態に係るセル構成の例である。図２の例では、セル内をセクタに分割していないが、本発明はセル内をセクタに分割する場合にも適用可能である。図２において、各基地局１（Ａ〜Ｇ）は、基地局コントローラ１０と有線で通信可能である。各基地局１（Ａ〜Ｇ）は、それぞれセル３Ａ〜３Ｇを提供する。ユーザ端末２は、在圏するセルの基地局１と無線接続し、通信することができる。複数のセルの重複部分（セル境界）に在るユーザ端末２は、その複数のセルの基地局１と無線接続し、通信することができる。さらに、セル境界に在るユーザ端末２は、複数の基地局１が連携したＭＩＭＯ伝送により、下り回線の通信を行うことができる。
【００２３】
以下、本実施形態に係る基地局制御方法を説明する。なお、以下の説明において、「シングルサイト接続」とは一ユーザ端末と一基地局で１対１の通信を行うことを指し、「マルチサイト接続」とは一ユーザ端末と複数の基地局で１対多の通信を行うことを指す。
【００２４】
図３は、本実施形態に係る基地局制御方法のフローチャートである。以下、図３を参照して、本実施形態に係る基地局制御方法を説明する。
【００２５】
ステップＳ１：ユーザ端末２のＭＩＭＯモード等を決定する。ユーザ端末２のＭＩＭＯモード等の決定方法としては、以下の二通りの方法１，２が挙げられる。
【００２６】
（方法１）
ユーザ端末２が、接続先の基地局（以下、接続基地局と称する）１と、接続基地局１以外で自端末の周辺に在る基地局（以下、周辺基地局と称する）１とについて、無線受信品質を取得する。そして、ユーザ端末２が、その無線受信品質を用いて、基地局１の連携の有無、連携有の場合には連携する基地局（以下、連携基地局と称する）１の組合せ、及び、ＭＩＭＯモードを決定する。ユーザ端末２は、基地局１の連携の有無、連携有の場合には連携基地局１の組合せ、及び、ＭＩＭＯモードを、接続基地局１を介して基地局コントローラ１０へ通知する。
【００２７】
（方法２）
ユーザ端末２が、接続基地局１と周辺基地局１とについて、無線受信品質を取得する。ユーザ端末２は、接続基地局１と周辺基地局１の各無線受信品質を、接続基地局１を介して基地局コントローラ１０へ通知する。そして、基地局コントローラ１０が、ユーザ端末２毎に、その無線受信品質を用いて、基地局１の連携の有無、連携有の場合には連携基地局１の組合せ、及び、ＭＩＭＯモードを決定する。
【００２８】
無線受信品質は、無線区間における受信品質を表す情報である。無線受信品質としては、例えば、搬送波対干渉波及び雑音電力比（Carrier to Interference and Noise power Ratio：ＣＩＮＲ）、受信信号強度（Received Signal Strength Indicator：ＲＳＳＩ）などが利用可能である。
【００２９】
なお、ＣＩＮＲの測定においては、所望基地局を決める際、各基地局１に係るＲＳＳＩ及び基地局１間のＲＳＳＩの差に対してそれぞれ基準値を設定し、基準値を満たすＲＳＳＩ及びＲＳＳＩ差を持つ基地局１を所望基地局とする。そして、所望基地局とそれ以外の基地局１の組毎に、ＣＩＮＲの測定を行う。ここで、複数の基地局１が連携した通信を行う場合、該複数の基地局１を所望基地局としてＣＩＮＲの測定を行う。
【００３０】
また、基地局１の連携の有無の判断およびＭＩＭＯモードの決定は、例えば、各基地局１に係るＲＳＳＩと基地局１間のＲＳＳＩの差などを用いて行う。このとき、基地局１の連携の有無の判断方法として、例えば、ＲＳＳＩの閾値Ｔｈａ，Ｔｈｂ（但し、Ｔｈｂ＜Ｔｈａ）を設定し、ＲＳＳＩが閾値Ｔｈａ以上である基地局１を連携対象としてもよい。さらに、ＲＳＳＩが閾値Ｔｈｂ以上閾値Ｔｈａ未満である基地局１が、当該基地局連携通信に割当てられる無線リソースにおいて、当該基地局連携通信に対し干渉を抑制するため、電波を送信しないようにしてもよい。この場合、干渉の抑制のために電波を送信しない基地局１も、実際にユーザ端末２と通信する基地局１と共に、当該基地局連携通信に係る連携基地局に含めてもよい。
【００３１】
ステップＳ２：基地局コントローラ１０が、ユーザ端末２の評価値を計算する。この評価値の計算対象のユーザ端末２は、基地局コントローラ１０の制御対象の基地局１に属する全ユーザ端末２である。基地局コントローラ１０は、端末識別子ｉのユーザ端末２の評価値Ｍｉを（１）式で計算する。
【００３２】
【数１】
2010233087.tif 000003
【００３３】
但し、ｍａｘ（ａ，ｂ）はａとｂの内の大きい方の値である。ｔは（１）式の計算時刻である。Ｒｒｅｑはユーザ端末２に提供する通信速度（スループット）の要求値（所定値）である。スループット要求値Ｒｒｅｑとしては、例えば、セル境界にあるユーザ端末２で満たすべきスループット値を設定する。Ｒａｖｅ（ｉ）（ｔ）は時刻ｔにおけるユーザ端末２（ｉ）に係る平均スループット値である。
【００３４】
上記評価値Ｍｉは、スループット要求値Ｒｒｅｑが平均スループット値Ｒａｖｅ（ｉ）（ｔ）以下である場合には１となり、スループット要求値Ｒｒｅｑが平均スループット値Ｒａｖｅ（ｉ）（ｔ）よりも大きい場合には１よりも大きい値となる。
【００３５】
ステップＳ３：基地局コントローラ１０が、全ユーザ端末２（ｉ）の評価値Ｍｉが１であるか否かを判断する。この結果、全ユーザ端末２（ｉ）の評価値Ｍｉが１である場合はステップＳ４に進み、そうでない場合はステップＳ５に進む。
【００３６】
ステップＳ４：基地局コントローラ１０は、全ユーザ端末２（ｉ）の評価値Ｍｉが１である場合、制御対象の基地局１に属する全ユーザ端末２の中から、割当対象の無線フレームに係る無線リソースを割り当てるユーザ端末２を選択する。このユーザ端末選択方法としては、例えば（２）式で表されるプロポーショナル・フェアネスの評価式を利用し、該評価式の値が最大となるユーザ端末２を選択する。
【００３７】
【数２】
2010233087.tif 000004
【００３８】
但し、Ｒｉｎｓｔ（ｉ）（ｔ）は時刻ｔにおけるユーザ端末２（ｉ）に係る瞬時スループット値である。γはフェアネスファクター（デフォルト値は１）である。
【００３９】
なお、ステップＳ４でのユーザ端末選択方法は、プロポーショナル・フェアネスに限定されるものではなく、セルラ移動通信システムの運用方針に応じた方法を用いればよい。
【００４０】
ステップＳ５：基地局コントローラ１０は、全ユーザ端末２（ｉ）の評価値Ｍｉが１ではない場合、評価値Ｍｉが１よりも大きいユーザ端末２（ｉ）の中から、割当対象の無線フレームに係る無線リソースを割り当てるユーザ端末２を選択する。このユーザ端末選択方法としては、例えば、評価値Ｍｉが１よりも大きいユーザ端末２（ｉ）の中から、瞬時スループット値Ｒｉｎｓｔ（ｉ）（ｔ）が最大であるユーザ端末２（ｉ）を選択する。これにより、無線リソースの利用効率の向上を図ることとする。なお、瞬時スループット値Ｒｉｎｓｔ（ｉ）（ｔ）が最大であるということは、当該ユーザ端末２（ｉ）の無線品質が最も良いということを表す。
【００４１】
ステップＳ６：基地局コントローラ１０が、ステップＳ４又はＳ５で選択したユーザ端末（以下、選択ユーザ端末と称する）２に対し、ステップＳ１で決定された基地局連携の有無、連携有の場合には連携基地局１の組合せ、及び、ＭＩＭＯモードに基づいて、無線リソースが割り当て可能か否かを判断する。例えば、連携基地局数が２である場合、各連携基地局１が同一の未割当の無線リソースを有していないと、選択ユーザ端末２に対して無線リソースを割り当てることができない。ステップＳ６の結果、無線リソースが割り当て可能ならばステップＳ７に進み、一方、無線リソースが割り当て不可能ならば選択ユーザ端末２に無線リソースを割り当てず、ステップＳ２に戻る。
【００４２】
ステップＳ７：基地局コントローラ１０が、選択ユーザ端末２がシングルサイト接続を行うのか、もしくはマルチサイト接続を行うのかを判断する。選択ユーザ端末２がシングルサイト接続を行う場合には（ステップＳ７、ＹＥＳ）、ステップＳ９に進む。一方、マルチサイト接続を行う場合には（ステップＳ７、ＮＯ）、ステップＳ８に進む。
【００４３】
ステップＳ８：基地局コントローラ１０が、マルチサイト接続を行う選択ユーザ端末２に必要な無線リソース量を確保するべく、論理リソーステーブルへのマッピングを行う。
【００４４】
図４は、本実施形態に係る論理リソーステーブルの概念図である。基地局コントローラ１０は、制御対象の基地局１毎に、論理リソーステーブルを有する。論理リソーステーブルは、一無線フレームにおける無線リソースの割り当て結果を保持するためのものである。図４において、横軸は時間軸であってＯＦＤＭＡシンボル単位の刻みである。縦軸は周波数軸であってサブキャリア単位の刻みである。所定のサブキャリア数ｎ×所定のＯＦＤＭＡシンボル数ｍからなる矩形領域に相当する無線リソース量のことを、スロットと称する。スロットは、ＯＦＤＭＡシンボル数ｍの整数倍が一無線フレームのＯＦＤＭＡシンボル数となるように定義される。無線リソースの割り当ては、スロット単位で行われる。
【００４５】
基地局コントローラ１０は、マルチサイト接続を行う選択ユーザ端末２に必要な無線リソース量に相当するスロット数分を、該選択ユーザ端末２とマルチサイト接続する各連携基地局１の論理リソーステーブルにおいて同じ無線リソース領域にマッピングする。これにより、マルチサイト接続を行う選択ユーザ端末２に必要な無線リソース量が、該当する各連携基地局１において確保される。
【００４６】
ステップＳ９：基地局コントローラ１０が、シングルサイト接続を行う選択ユーザ端末２の情報をメモリに保持する。ここで保持される情報は、選択ユーザ端末２の識別子、選択ユーザ端末２に必要な無線リソース量などの情報である。
【００４７】
ステップＳ９では、まだ、選択ユーザ端末２に割り当てるスロットの論理リソーステーブルへのマッピング（どの無線リソース領域を選択ユーザ端末２に割り当てるかの記録）を行わないが、選択ユーザ端末２に必要な無線リソース量を確保するために、基地局コントローラ１０が、選択ユーザ端末２に必要な無線リソース量に相当するスロット数をメモリに記憶すると共に、選択ユーザ端末２とシングルサイト接続する基地局１の割当可能スロット残数から選択ユーザ端末２に割り当てるスロット数を減算する。
【００４８】
ステップＳ１０：ステップＳ８又はＳ９の後、基地局コントローラ１０は、制御対象の各基地局１の論理リソーステーブルにおける割当可能スロット残数を参照し、まだ割り当て可能な無線リソースが残っているかを調べる。この結果、割り当て可能な無線リソースが残っている場合にはステップＳ２に戻り、一方、割り当て可能な無線リソースがない場合にはステップＳ１１に進む。
【００４９】
ステップＳ１１：基地局コントローラ１０が、ステップＳ９で保持した情報に基づいて、シングルサイト接続を行う選択ユーザ端末２に割り当てるスロット数分を、該選択ユーザ端末２とシングルサイト接続する基地局１の論理リソーステーブルにおいてマッピングする。これにより、シングルサイト接続を行う選択ユーザ端末２に必要な無線リソース量が、該当する基地局１において確保される。
【００５０】
このように、論理リソーステーブルへのマッピングは、マルチサイト接続分を先に行い、その後、シングルサイト接続分を行うことにより、無線リソースを効率的に利用することが可能となる。これは、マルチサイト接続分は複数の連携基地局１で共通の無線リソースを確保しなければならないが、シングルサイト接続分は単独の基地局１で未割り当ての無線リソースを割り当てればよく、シングルサイト接続分のほうが無線リソース割当の自由度が大きいからである。
【００５１】
基地局コントローラ１０は、制御対象の各基地局１に対し、該当する論理リソーステーブルの無線リソース割当結果を送る。
【００５２】
上述したように本実施形態によれば、平均スループット値がスループット要求値を満たしていないユーザ端末２に対して、優先的に無線リソースを割り当てることができる。さらに、ユーザ端末２の通信方法（シングルサイト接続又はマルチサイト接続）に応じた無線リソース割当を行うことができる。これにより、複数の基地局が連携して一移動局と通信することで移動局個々の通信品質の向上を図ると共に、セルラ移動通信システム全体の無線リソースの利用効率の低下を防ぐことができるという効果が得られる。
【００５３】
以上、本発明の実施形態について図面を参照して詳述してきたが、具体的な構成はこの実施形態に限られるものではなく、本発明の要旨を逸脱しない範囲の設計変更等も含まれる。
本発明に係る評価値は、移動局がどのくらい無線リソースを必要としているか（移動局の無線リソース必要性）を表すものであればよく、上述の実施形態に限定されない。例えば、本発明に係る評価値としては、移動局の平均スループット値の大きさの度合い、移動局の無線状況の度合い、移動局が要求するＱｏＳ（Quality of Service）の度合いなどが利用可能である。
【符号の説明】
【００５４】
１…基地局、２…移動局（ユーザ端末）、１０…基地局コントローラ
【図１】
2010233087.tif 000005
【図２】
2010233087.tif 000006
【図３】
2010233087.tif 000007
【図４】
2010233087.tif 000008